(57)【要約】      （修正有）【課題】空気調和機に装着されるエアフィルタを回収してそのエアフィルタの汚染度から空気質を解析するエアフィルタ、空気調和機および空気質解析システムを提供する。【解決手段】エアフィルタ３３は浮遊物捕集部と記憶部３５とを備え、記憶部３５は空気調和機３９に関する情報を記憶し、空気調和機３９は、エアフィルタ３３の記憶部３５とを接続する接続部３４と情報書き込み部３６とを備える。情報書き込み部３６はエアフィルタの記憶部に空気調和機に関する情報を書き込み、空気質解析システム６０，は、分析結果取得手段１２、情報取得手段１４および情報関連づけ手段１２を備える。分析結果取得手段１２は、エアフィルタの浮遊物を分析した結果を取得する。情報取得手段１４は、エアフィルタの記憶部３５から空気調和機に関する情報を取得する。情報関連づけ手段１２は、分析の結果と空気調和機に関する情報とを関連づける。【選択図】        図１
2004183925.tif 000002
【特許請求の範囲】
【請求項１】
空気調和機（３９）に着脱可能なエアフィルタ（３３）であって、
空気中に浮遊する浮遊物を捕集する浮遊物捕集部と、
前記空気調和機（３９）に関する情報を記憶可能な記憶部（３５）と、
を備える、エアフィルタ（３３）。
【請求項２】
前記記憶部（３５）は、前記空気調和機（３９）から送信される前記空気調和機（３９）に関する情報を記憶する、
請求項１に記載のエアフィルタ（３３）。
【請求項３】
前記空気調和機（３９）に関する情報は、前記空気調和機（３９）の機体情報である、
請求項１または２に記載のエアフィルタ（３３）。
【請求項４】
前記空気調和機（３９）に関する情報は、前記空気調和機（３９）の運転情報である、
請求項１または２に記載のエアフィルタ（３３）。
【請求項５】
前記空気調和機（３９）に関する情報は、前記空気調和機（３９）の設置場所に関する情報である、
請求項１または２に記載のエアフィルタ（３３）。
【請求項６】
請求項１から５のいずれかに記載のエアフィルタ（３３）の前記記憶部（３５）と接続可能な接続部（３４）と、
前記エアフィルタ（３３）の前記記憶部（３５）が前記接続部（３４）と接続されている状態で、前記エアフィルタ（３３）の前記記憶部（３５）に前記空気調和機（３９）に関する情報を書き込む情報書き込み部（３６）と、
を備える、空気調和機（３９）。
【請求項７】
前記接続部（３４）は、前記エアフィルタ（３３）の前記記憶部（３５）と無線で接続する、
請求項６に記載の空気調和機。
【請求項８】
請求項１から５のいずれかに記載のエアフィルタ（３３）が捕集した前記浮遊物を分析した結果を取得する分析結果取得手段（１２）と、
前記エアフィルタ（３３）の記憶部（３５）から前記空気調和機（３９）に関する情報を取得する情報取得手段（１４）と、
前記分析の結果と前記空気調和機（３９）に関する情報とを関連づける情報関連づけ手段（１２）と、
を備える、空気質解析システム（６０，６３）。
【請求項９】
前記空気調和機（３９）に関する情報は、前記空気調和機（３９）の運転情報である、
請求項８に記載の空気質解析システム（６０）。
【請求項１０】
前記空気調和機（３９）に関する情報は、前記空気調和機（３９）の機体情報あるいは設置場所に関する情報である、
請求項８に記載の空気質解析システム（６３）。
【請求項１１】
自己識別情報を保持しており、空気中に浮遊する浮遊物を捕集するエアフィルタ（３３）と、
前記エアフィルタ（３３）の自己識別情報を読み取る識別情報読み取り部（７４）と、前記識別情報読み取り部（７４）において読み取られた前記エアフィルタ（３３）の自己識別情報を、運転情報を含む空気調和機（３９）に関する情報と共に送信する送信部（７６）とを有する空気調和機（３９）と、
前記送信部（７６）が送信する前記エアフィルタ（３３）の自己識別情報と前記運転情報を含む前記空気調和機（３９）に関する情報とを受信する情報受信手段（１１）と、
前記エアフィルタ（３３）の自己識別情報を読み取る識別情報読み取り手段（１５）と、
前記エアフィルタ（３３）が捕集した前記浮遊物を分析した結果を取得する分析結果取得手段（１２）と、
前記識別情報読み取り手段（１５）で読み取った自己識別情報と前記分析の結果とを関連づける第１情報関連づけ手段（１２）と、
前記識別情報読み取り部（７４）および前記識別情報読み取り手段（１５）において読み取った自己識別情報を照合することによって、前記運転情報を含む前記空気調和機（３９）に関する情報と前記エアフィルタ（３３）の分析の結果とを関連づける第２情報関連づけ手段（１２）と、
を備える、空気質解析システム（６５）。
【請求項１２】
自己識別情報を保持しており、空気中に浮遊する浮遊物を捕集するエアフィルタを着脱可能な空気調和機であって、
前記エアフィルタが保持する前記自己識別情報を読み取る識別情報読み取り部と、
前記識別情報読み取り部において読み取られた前記エアフィルタの前記自己識別情報を記憶する識別情報記憶部と、
を備える、空気調和機。
【発明の詳細な説明】
【０００１】
【発明の属する技術分野】
本発明は、空気調和機が設けられている空間の空気質を解析するためのシステムならびにその解析を容易に行うことができるように工夫されたエアフィルタおよび空気調和機に関する。
【０００２】
【従来の技術】
近年、住宅やビルなどにおいて省エネルギー化が進んでいる。このことに鑑み、住宅やビルなどでは、気密性を高めて空調の効率を向上しようとする試みが行われつつある。しかし、このように気密化が進むと、例えば、喫煙によって生じる粉塵、建材などから生じるホルムアルデヒドや揮発性有機ガス（ＶＯＣガス）などが室内に留まりやすくなる。このため、室内空気の質が悪化し、在室者に悪影響を及ぼす可能性がある。このような室内の汚染空気を浄化する技術として、空気質変換システム（例えば、特許文献１参照。）や空気清浄機（例えば、特許文献２参照。）などの技術が公開されている。また、空気質検知装置（例えば、特許文献３参照。）なども公開されており、先のようなシステムや空気清浄機が、実際に機能しているのかを確認することも可能である。
【０００３】
【特許文献１】
特開２００２−１９５６２３号公報（第２−１０項、図１）
【０００４】
【特許文献２】
特開平１１−１９０５４９号公報（第２−４項、図１）
【０００５】
【特許文献３】
特開２０００−８８７８５号公報（第２−４項、図１）
【０００６】
【発明が解決しようとする課題】
ところで、一般消費者がこれらのシステムや機器などを導入するためには、ある程度の資金が必要である。このため、一般消費者がそれらのシステムや機器などを購入する前に、それらが自分にとって本当に必要なものであるのか（自分の使用している部屋などの空気が本当に汚染されているのか。）を見極めたいと思うのは当然のことであると推察される。
【０００７】
そこで、本願発明者は、一般消費者にほとんど負担をかけずに彼らの部屋などの空気質を解析するにはどうすればよいのかを思案した。そして、本願発明者は、一般消費者のほとんどが所有しているエアコンなどのエアフィルタを回収してそのエアフィルタの汚染度を分析し、その分析結果から空気質を解析するサービスを考えついた。ところが、本願発明者は、エアフィルタの分析結果に基づいて空気質の解析を行っても、そのエアフィルタが装着されていた空気調和機の運転情報がなければ、その分析結果を適正に解析することができないことに気が付いた。例えば、空気調和機がほとんど稼働していなかったからエアフィルタに汚れがあまり付着していないという結果が出たのにもかかわらず、空気質は良好であるとしてしまうことなどが起こりえる。この問題を解決するためには、本願発明者らが従来から行っているネットワークによる運転情報の収集技術などを用いればよい。しかし、このサービスにおいては、エアフィルタを多量に回収することが考えられるので、エアフィルタの分析結果とそのエアフィルタが装着されていた空気調和機の運転情報とを一つにまとめることが非常に煩雑な作業となりそうであることに気が付いた。
【０００８】
本発明の課題は、空気調和機に装着されるエアフィルタを回収してそのエアフィルタの汚染度から空気質を解析するサービスにおいて、そのエアフィルタの分析結果とそのエアフィルタが装着されていた空気調和機の運転情報とを容易に一つにまとめることを可能とするエアフィルタ、空気調和機および空気質解析システムを提供することにある。
【０００９】
【課題を解決するための手段】
請求項１に記載のエアフィルタは、空気調和機に着脱可能なエアフィルタであって、浮遊物捕集部と記憶部とを備える。なお、ここにいうエアフィルタとは、ケミカルフィルタや集塵フィルタなどである。浮遊物捕集部は、空気中に浮遊する浮遊物を捕集する。記憶部は、空気調和機に関する情報を記憶できる。なお、ここにいう空気調和機とは、エアコン、空気清浄機、除湿器あるいは加湿器などである。また、空気調和機に関する情報とは、空気調和機の機体情報、運転情報あるいは設置場所に関する情報である。さらに、ここにいう記憶部の具体例として、ハードディスクドライブ、ＵＳＢドライブ、フロッピーディスク、光磁気ディスク、マイクロドライブ、Ｚｉｐ（登録商標）、ＣＤ−Ｒ、ＣＤ−ＲＷ、ＤＶＤ−Ｒ、コンパクトフラッシュ（登録商標）、ＳＤメモリカード（登録商標）、スマートメディア（登録商標）、メモリスティック（登録商標）あるいはＲＦＩＤタグなどが挙げられる。
【００１０】
ここでは、浮遊物捕集部が、空気中に浮遊する浮遊物を捕集する。このため、空気質を解析するための対象を得ることができる。また、記憶部が、空気調和機に関する情報を記憶できる。このため、このエアフィルタの記憶部が空気調和機の運転情報を記憶して、かつ、エアフィルタの記憶部からエアフィルタの分析装置にその運転情報を加えるなどできれば、分析結果と運転情報とを容易に一つにまとめることができる。また、そのエアフィルタの記憶部が空気調和機の機体情報あるいは空気調和機の設置場所に関する情報などを記憶して、かつ、エアフィルタの分析装置においてそのような情報とエアフィルタの分析結果とを関連づけることができ、かつ、そのような情報と対になった空気調和機の運転情報がネットワークを介するなどしてエアフィルタの分析装置に送信されるなどできれば、そのような情報を照合することによって分析結果と運転情報とを容易に一つにまとめることができる。
【００１１】
請求項２に記載のエアフィルタは、請求項１に記載のエアフィルタであって、記憶部は、空気調和機から送信される空気調和機に関する情報を記憶する。
ここでは、このエアフィルタの記憶部が空気調和機の運転情報を記憶して、かつ、エアフィルタの記憶部からエアフィルタの分析装置にその運転情報を加えるなどできれば、分析結果と運転情報とを容易に一つにまとめることができる。また、そのエアフィルタの記憶部が空気調和機の機体情報あるいは空気調和機の設置場所に関する情報などを記憶して、かつ、エアフィルタの分析装置においてそのような情報とエアフィルタの分析結果とを関連づけることができ、かつ、そのような情報と対になった空気調和機の運転情報がネットワークを介するなどしてエアフィルタの分析装置に送信されるなどできれば、そのような情報を照合することによって分析結果と運転情報とを容易に一つにまとめることができる。
【００１２】
請求項３に記載のエアフィルタは、請求項１または２に記載のエアフィルタであって、空気調和機に関する情報は、空気調和機の機体情報である。なお、ここにいう機体情報とは、型番号、製品番号あるいは製造番号などである。
ここでは、エアフィルタの分析装置において機体情報とエアフィルタの分析結果とを関連づけることができ、かつ、その機体情報と対になった空気調和機の運転情報がネットワークを介するなどしてエアフィルタの分析装置に送信されるなどできれば、その機体情報を照合することによって分析結果と運転情報とを容易に一つにまとめることができる。
【００１３】
請求項４に記載のエアフィルタは、請求項１または２に記載のエアフィルタであって、空気調和機に関する情報は、空気調和機の運転情報である。なお、ここにいう運転情報とは、運転時間履歴や室内ファンの回転数データなどである。
ここでは、エアフィルタの記憶部からエアフィルタの分析装置にその運転情報を加えるなどできれば、分析結果と運転情報とを容易に一つにまとめることができる。
【００１４】
請求項５に記載のエアフィルタは、請求項１または２に記載のエアフィルタであって、空気調和機に関する情報は、空気調和機の設置場所に関する情報である。なお、ここにいう設置場所に関する情報とは、空気調和機が設置されている物件の住所、名前（ビルの場合など。）、空気調和機が設置されている部屋あるいは経緯度情報などである。また、空気調和機がネットワークアドレスなどをもっており、これらの情報がネットワークアドレスなどに関連づけられている場合は、そのネットワークアドレスなどをも含む。
【００１５】
ここでは、エアフィルタの分析装置において設置場所に関する情報とエアフィルタの分析結果とを関連づけることができ、かつ、その設置場所に関する情報と対になった空気調和機の運転情報がネットワークを介するなどしてエアフィルタの分析装置に送信されるなどできれば、その設置場所に関する情報を照合することによって分析結果と運転情報とを容易に一つにまとめることができる。
【００１６】
請求項６に記載の空気調和機は、接続部と情報書き込み部とを備える。なお、ここにいう空気調和機とは、エアコン、空気清浄機、除湿器あるいは加湿器などである。接続部は、請求項１から５のいずれかに記載のエアフィルタの記憶部と接続可能である。情報書き込み部は、エアフィルタの記憶部が接続部と接続されている状態で、エアフィルタの記憶部に空気調和機に関する情報を書き込む。なお、空気調和機に関する情報とは、空気調和機の機体情報、運転情報あるいは設置場所に関する情報である。
【００１７】
ここでは、接続部が、請求項１から５のいずれかに記載のエアフィルタの記憶部と接続できる。また、情報書き込み部が、エアフィルタの記憶部が接続部と接続されている状態で、エアフィルタの記憶部に空気調和機に関する情報を書き込む。このため、この空気調和機がエアフィルタの記憶部にその運転情報を書き込み、かつ、そのエアフィルタの記憶部からエアフィルタの分析装置にその運転情報を加えるなどできれば、分析結果と運転情報とを容易に一つにまとめることができる。また、その空気調和機がエアフィルタの記憶部に機体情報や設置場所に関する情報などを書き込み、かつ、エアフィルタの分析装置においてそのような情報とエアフィルタの分析結果とを関連づけることができ、かつ、そのような情報と対になった空気調和機の運転情報がネットワークを介するなどしてエアフィルタの分析装置に送信されるなどできれば、そのような情報を照合することによって分析結果と運転情報とを容易に一つにまとめることができる。
【００１８】
請求項７に記載の空気調和機は、請求項６に記載の空気調和機であって、接続部は、エアフィルタの記憶部と無線で接続する。
ここでは、エアフィルタの記憶部を空気調和機に接続するのに配線する手間を省くことができる。
請求項８に記載の空気質解析システムは、分析結果取得手段、情報取得手段および情報関連づけ手段を備える。なお、これら全ての手段は、一つの装置に納められていてもよい。分析結果取得手段は、請求項１から５のいずれかに記載のエアフィルタが捕集した浮遊物を分析した結果を取得する。なお、分析結果の取得は、自動取得でもよいし、入力などでもよい。情報取得手段は、エアフィルタの記憶部から空気調和機に関する情報を取得する。情報関連づけ手段は、分析の結果と空気調和機に関する情報とを関連づける。
【００１９】
ここでは、分析結果取得手段が、請求項１から５のいずれかに記載のエアフィルタが捕集した浮遊物を分析した結果を取得する。続いて、情報取得手段が、エアフィルタの記憶部から空気調和機に関する情報を取得する。最後に、情報関連づけ手段が、分析の結果と空気調和機に関する情報とを関連づける。このため、情報取得手段が、エアフィルタの記憶部からその空気調和機の運転情報を取得できれば、分析結果とその運転情報とを容易に一つにまとめることができる。また、情報取得手段がエアフィルタの記憶部からその空気調和機の機体情報あるいは設置場所に関する情報などを取得でき、かつ、空気質解析システムがネットワークを介するなどしてその空気調和機の運転情報を先のような情報などと対になるようなかたちで受信できれば、先のような情報を照合することによって分析結果と運転情報とを容易に一つにまとめることができる。
【００２０】
請求項９に記載の空気質解析システムは、請求項８に記載の空気質解析システムであって、空気調和機に関する情報は、空気調和機の運転情報である。
ここでは、エアフィルタの分析結果と空気調和機の運転情報とを容易に一つにまとめることができる。
請求項１０に記載の空気質解析システムは、請求項８に記載の空気質解析システムであって、空気調和機に関する情報は、空気調和機の機体情報あるいは設置場所に関する情報である。
【００２１】
ここでは、空気質解析システムがネットワークを介するなどしてその空気調和機の運転情報をその空気調和機の機体情報あるいは設置場所に関する情報などと対になるようなかたちで受信できれば、そのような情報を照合することによって分析結果と運転情報とを容易に一つにまとめることができる。
請求項１１に記載の空気質解析システムは、エアフィルタ、空気調和機、情報受信手段、識別情報読み取り手段、分析結果取得手段、第１情報関連づけ手段および第２情報関連づけ手段を備える。なお、情報受信手段、識別情報読み取り手段、分析結果取得手段、第１情報関連づけ手段および第２情報関連づけ手段は、一つの装置に納められていてもよい。エアフィルタは、自己識別情報を保持しており、空気中に浮遊する浮遊物を捕集する。空気調和機は、読み取り部と送信部とを有する。読み取り部は、エアフィルタの自己識別情報を読み取る。送信部は、読み取り部において読み取られたエアフィルタの自己識別情報を、運転情報を含む空気調和機に関する情報と共に送信する。情報受信手段は、送信部が送信するエアフィルタの自己識別情報と運転情報を含む空気調和機に関する情報とを受信する。識別情報読み取り手段は、エアフィルタの自己識別情報を読み取る。分析結果取得手段は、エアフィルタが捕集した浮遊物を分析した結果を取得する。第１情報関連づけ手段は、識別情報読み取り手段で読み取った自己識別情報と分析の結果とを関連づける。第２情報関連づけ手段は、識別情報読み取り部および識別情報読み取り手段において読み取った自己識別情報を照合することによって、運転情報を含む空気調和機に関する情報とエアフィルタの分析の結果とを関連づける。
【００２２】
ここでは、エアフィルタが、自己識別情報を保持しており、空気中に浮遊する浮遊物を捕集する。空気調和機の読み取り部が、エアフィルタの自己識別情報を読み取る。また、その空気調和機の送信部が、読み取り部において読み取られたエアフィルタの自己識別情報を、運転情報を含む空気調和機に関する情報と共に送信する。情報受信手段が、送信部が送信するエアフィルタの自己識別情報と運転情報を含む空気調和機に関する情報とを受信する。次に、識別情報読み取り手段が、エアフィルタの自己識別情報を読み取る。続いて、分析結果取得手段が、エアフィルタが捕集した浮遊物を分析した結果を取得する。そして、第１情報関連づけ手段が、識別情報読み取り手段で読み取った自己識別情報と分析の結果とを関連づける。最後に、第２情報関連づけ手段が、空気調和機の識別情報読み取り部および識別情報読み取り手段において読み取った自己識別情報を照合することによって、運転情報を含む空気調和機に関する情報とエアフィルタの分析の結果とを関連づける。このため、分析結果と運転情報とを容易に一つにまとめることができる。
【００２３】
請求項１２に記載の空気調和機は、自己識別情報を保持しており、空気中に浮遊する浮遊物を捕集するエアフィルタを着脱可能な空気調和機であって、識別情報読み取り部と識別情報記憶手段とを備える。識別情報読み取り部は、エアフィルタが保持する自己識別情報を読み取る。識別情報記憶部は、識別情報読み取り部において読み取られたエアフィルタの自己識別情報を記憶する。
【００２４】
ここでは、識別情報読み取り部が、エアフィルタが保持する自己識別情報を読み取る。また、識別情報記憶部が、識別情報読み取り部において読み取られたエアフィルタの自己識別情報を記憶する。このため、この空気調和機が識別情報記憶部に記憶されるエアフィルタの自己識別情報を空気調和機の運転情報と対になるようなかたちで、ネットワークを介するなどしてエアフィルタの分析装置に送信でき、かつ、エアフィルタからエアフィルタの分析装置にその自己識別情報を加えるなどできれば、分析結果と運転情報とを容易に一つにまとめることができる。
【００２５】
【発明の実施の形態】
＜第１実施形態＞
第１実施形態では、空気質解析サービスの概要について説明する。本空気質解析サービスは、ルームエアコンに装着されるエアフィルタを回収してそのエアフィルタの汚染度を分析し、そのエアフィルタの分析結果とルームエアコンの運転情報とから空気質を解析し、その解析結果をそのルームエアコンのユーザに通知することにより空気質変換システムや空気清浄機などに対するユーザの購買意欲を高めるためのサービスである。また、このサービスは、そのエアフィルタの分析結果とそのエアフィルタが装着されていたルームエアコンの運転情報とを容易に一つにまとめることができ、適切な空気質の解析を行うことができることを特徴としている。
【００２６】
［空気質解析サービスに用いられる機器など］
図１には、空気質解析サービスの形態を表すブロック図を示す。本空気質解析サービスには、エアフィルタ３３、ルームエアコン３９、空気質解析システム６０が用いられる。
（１）エアフィルタ３３
エアフィルタ３３は、空気中に浮遊する浮遊物を捕集する。このエアフィルタ３３には、書き込み可能なＲＦＩＤタグ３５が付けられている。また、そのＲＦＩＤタグ３５の取り付け位置は、そのエアフィルタ３３がルームエアコン３９の室内機３１に装着されたときに、ルームエアコン３９の室内機３１に設けられている無線接続部３４の位置と一致するように決定されている。なお、このエアフィルタ３３は、ルームエアコン３９の室内機３１に対して着脱可能である。
【００２７】
（２）ルームエアコン３９
ルームエアコン３９は、住宅２１，２２，２３に設置される。住宅２１，２２，２３の屋外には室外機３２が設置され、屋内には室内機３１が設置される。そして、室外機３２と室内機３１とは、冷媒配管および電送線で接続される。このうち、室内機３１には、無線接続部３４および情報書き込み部３６が設けられている。無線接続部３４は、ＲＦＩＤタグ３５との接続を無線で確立する。また、情報書き込み部３６は、ＲＦＩＤタグ３５にルームエアコン３９の機体情報および運転情報を書き込む。
【００２８】
（３）空気質解析システム６０
空気質解析システム６０は、遠隔監視センター１に設けられる。この空気質解析システム６０は、エアフィルタ汚染度測定装置１３、解析装置１２およびＲＦＩＤタグ読み取り装置１４から構成される。以下、それぞれの装置に関して説明する。
【００２９】
ａ．エアフィルタ汚染度測定装置１３
エアフィルタ汚染度測定装置１３は、サービスエンジニア４０が回収したエアフィルタ３３の汚染度を測定する。
ｂ．解析装置１２
解析装置１２は、エアフィルタ汚染度測定装置１３を制御する。例えば、解析装置１２から測定装置１３の諸設定を変更することができる。また、この解析装置１２は、測定装置１３から得られるエアフィルタ３３の汚染度測定値を全て自身のハードディスクに記憶する。このため、解析装置１２では、いつでも過去のデータを解析することができる。さらに、この解析装置１２は、エアフィルタ３３の分析結果とエアフィルタ３３のＲＦＩＤタグ３５から取得されるルームエアコン３９の運転情報とを関連づける機能を有する。
【００３０】
ｃ．ＲＦＩＤタグ読み取り装置１４
ＲＦＩＤタグ読み取り装置１４は、ＲＦＩＤタグ３５に書き込まれた情報を読み取ることができる。また、この装置１４は、読み取った情報を解析装置１２に送信することができる。
［空気質解析サービスに用いられる機器などの接続形態］
図１に示すように、エアフィルタ３３は、ルームエアコン３９の室内機３１に装着される。ルームエアコン３９の室内機３１は、その室外機３２に接続される。エアフィルタ汚染度測定装置１３は、解析装置１２に接続される。ＲＦＩＤタグ読み取り装置１４も、解析装置１２に接続される。
【００３１】
［ルームエアコン３９の室内機３１がその機体情報および運転情報をエアフィルタ３３に書き込む流れ］
図２には、ルームエアコン３９の室内機３１がエアフィルタ３３のＲＦＩＤタグ３５にその機体情報および運転情報を書き込む流れを表すフローチャートを示す。
【００３２】
図２において、ステップＳ１では、エアフィルタ３３をルームエアコン３９の室内機３１に装着する。ステップＳ２では、ルームエアコン３９の電源を投入する。ステップＳ３では、室内機３１に設けられた無線接続部３４が自動的にエアフィルタ３３のＲＦＩＤタグ３５との接続を確立する。続いて、ステップＳ４では、室内機３１に設けられた情報書き込み部３６が、エアフィルタ３３のＲＦＩＤタグ３５にルームエアコン３９の機体情報を書き込む。ステップＳ５では、情報書き込み部３６が、先のＲＦＩＤタグ３５にルームエアコン３９の運転情報、例えば、運転時間履歴や室内ファンの回転数データなどを書き込み始める。そして、ルームエアコン３９の電源が切られると、情報書き込み部３６は情報の書き込みを終了する。
【００３３】
［エアフィルタ３３の解析結果とルームエアコン３９の運転情報などとを一つにまとめる流れ］
図３には、解析装置１２がエアフィルタ３３の汚染度解析結果とルームエアコン３９の運転情報とを一つにまとめる流れを表すフローチャートを示す。
図３において、ステップＳ１１では、サービスエンジニア４０が、エアフィルタ３３を回収して、遠隔監視センター１に搬送する。ステップＳ１２では、エアフィルタ３３をエアフィルタ汚染度測定装置１３にセットする、あるいは、エアフィルタ３３に捕集された浮遊物を抽出するなどしてサンプルを作成し、そのサンプルをエアフィルタ汚染度測定装置１３にセットする。ステップＳ１３では、ＲＦＩＤタグ読み取り装置１４が、サンプルがセットされたことを認識して、そのエアフィルタ３３のＲＦＩＤタグ３５からルームエアコン３９の機体情報および運転情報を読み取る。なお、ここで、ＲＦＩＤタグ読み取り装置１４がＲＦＩＤタグ３５を認識できない場合は、解析装置１２のディスプレイ上にエラーメッセージが表示される。ステップＳ１４では、解析装置１２が、ＲＦＩＤタグ読み取り装置１４から全ての情報を受信する。そして、ステップＳ１５では、解析装置１２において測定装置１３の設定を施した後、測定を開始する。測定が終了すると、ステップＳ１６で、先のＲＦＩＤタグ３５から読み取った全ての情報、すなわち、ルームエアコン３９の機体情報および運転情報が、解析装置１２のディスプレイ上に表示され、これらの情報に基づいて測定値の解析を行う。ステップＳ１７では、解析結果を表示する。そして、ステップＳ１８では、これらのデータがデータベース化され、解析装置１２のハードディスクに保存される。
【００３４】
［空気質解析サービスに用いられる機器などの特徴］
（１）
第１実施形態に係るエアフィルタ３３には、ＲＦＩＤタグ３５が取り付けられている。また、第１実施形態に係るルームエアコン３９の室内機３１には、ＲＦＩＤタグ３５と無線接続可能な無線接続部３４、ならびに、ルームエアコン３９の機体情報および運転情報（例えば、室内温度履歴や運転時間履歴など。）を書き込む情報書き込み部３６が設けられている。このため、このルームエアコン３９は、エアフィルタ３３のＲＦＩＤタグ３５に自身の機体情報および運転情報を書き込むことができる。
【００３５】
（２）
第１実施形態に係る解析装置１２には、ＲＦＩＤタグ３５に書き込まれた情報を読み取るＲＦＩＤタグ読み取り装置１４が接続される。このため、この解析装置１２は、ＲＦＩＤタグ３５に書き込まれたルームエアコン３９の機体情報および運転情報を取得することができる。
【００３６】
（３）
第１実施形態に係る空気質解析システム６０では、測定開始時にルームエアコン３９の機体情報および運転情報を解析装置１２に送信することができる。このため、エアフィルタ３３の解析結果とそれらの情報とを容易に一つにまとめることができる。
【００３７】
（４）
第１実施形態に係る解析装置１２は、測定開始前にＲＦＩＤタグ３５が認識されないと、そのディスプレイ上にエラーメッセージを表示する。このため、解析結果ならびに機体情報および運転情報を１つの情報をまとめることに対するミスを防ぐことができる。
【００３８】
＜第１実施形態の変形例＞
（１）
第１実施形態に係るルームエアコン３９は、ＲＦＩＤタグ３５にルームエアコン３９の機体情報および運転情報を書き込んだが、これに代えて、フロッピィディスク、光磁気ディスク、Ｚｉｐ（登録商標）、コンパクトフラッシュ（登録商標）、ＳＤメモリカード（登録商標）、スマートメディア（登録商標）、メモリスティック（登録商標）、マイクロドライブ、ＣＤ−Ｒ、ＣＤ−ＲＷ、ＤＶＤ−ＲあるいはＤＶＤ−ＲＷなどの記憶媒体に先の情報を書き込んでもよい。ただし、この場合、ルームエアコン３９の室内機３１に、それらのドライブを設ける必要がある。
【００３９】
（２）
第１実施形態に係るルームエアコン３９は、ＲＦＩＤタグ３５にルームエアコン３９の機体情報および運転情報を書き込んだが、これに代えて、ハードディスクドライブなどの記憶媒体に先の情報を書き込んでもよい。ただし、この場合、ルームエアコン３９の室内機３１に、ＡＴＡ、ＵＳＢあるいはＳＣＳＩなどの接続インターフェイスなどを設ける必要がある。
【００４０】
（３）
第１実施形態に係る空気質解析サービスは、住宅２１，２２，２３に備えられるルームエアコン３９に対して行われたが、これに代えて、ビルなどに備えられるマルチ式空気調和機やセントラル式空気調和機などに対して行われてもよい。ただし、マルチ式空気調和機の場合は、各室内機に対してサービスを行う必要がある。
【００４１】
（４）
第１実施形態に係る空気質解析サービスでは、エアフィルタ３３のＲＦＩＤタグ３５にルームエアコン３９の機体情報および運転情報が記憶された。しかし、図４に示すようなシステム６３を構築して、この運転情報を、ネットワーク５０を介して遠隔監視センター１に送信してもよい。ただし、遠隔監視センター１にデータサーバ１１を設ける必要がある。このデータサーバ１１は、解析装置１２とネットワーク５０とに接続される。この場合、ルームエアコン３９は、エアフィルタ３３のＲＦＩＤタグ３５にその機体情報あるいは設置場所情報などを記憶させる。
【００４２】
図５には、解析装置１２がエアフィルタ３３の汚染度解析結果とルームエアコン３９の運転情報とを一つにまとめる流れを表すフローチャートを示す。
図５において、ステップＳ２１では、サービスエンジニア４０が、エアフィルタ３３を回収して、遠隔監視センター１に搬送する。ステップＳ２２では、エアフィルタ３３をエアフィルタ汚染度測定装置１３にセットする、あるいは、フィルタに捕集された浮遊物を抽出するなどしてサンプルを作成し、そのサンプルをエアフィルタ汚染度測定装置１３にセットする。ステップＳ２３では、ＲＦＩＤタグ読み取り装置１４が、サンプルがセットされたことを認識して、そのエアフィルタ３３のＲＦＩＤタグ３５からルームエアコン３９の機体情報あるいは設置場所情報などを読み取る。なお、ここで、ＲＦＩＤタグ読み取り装置１４がＲＦＩＤタグ３５を認識できない場合は、解析装置１２のディスプレイ上にエラーメッセージが表示される。ステップＳ２４では、解析装置１２が、ＲＦＩＤタグ読み取り装置１４から機体情報あるいは設置場所情報などを受信する。そして、ステップＳ２５では、解析装置１２において測定装置１３の設定を施した後、測定を開始する。測定が終了すると、ステップＳ２６では、解析装置１２が、測定結果と機体情報あるいは設置場所情報などとを関連づける。ステップＳ２７では、データサーバ１１から同じ機体情報と対になっている運転情報を読み出す。ステップＳ２８では、先のＲＦＩＤタグ３５から読み取った全ての情報、すなわち、ルームエアコン３９の機体情報および運転情報が、解析装置１２のディスプレイ上に表示され、これらの情報に基づいて測定値の解析を行う。ステップＳ２９では、解析結果を表示する。
【００４３】
＜第２実施形態＞
第２実施形態に示される空気質解析システムは、ルームエアコンに装着されるエアフィルタを回収してそのエアフィルタの汚染度を分析し、そのエアフィルタの分析結果とルームエアコンの運転情報とから空気質を解析し、その解析結果をそのルームエアコンのユーザに通知することにより空気質変換システムや空気清浄機などに対するユーザの購買意欲を高めるためのシステムである。また、このシステムは、その分析結果とそのエアフィルタが装着されていたルームエアコンの運転情報とを容易に一つにまとめることができ、適切な空気質の解析を行うことができることを特徴としている。
【００４４】
［空気質解析システムのシステム構成］
図６には、第２実施形態に係る空気質解析システム６５のブロック図を示す。本空気質解析システム６５は、エアフィルタ３３、ルームエアコン３９、エアフィルタ汚染度測定装置１３、解析装置１２、データサーバ１１、バーコード読み取り装置１５およびネットワーク５０から構成される。
【００４５】
［本空気質解析システム６５のシステム構成要素］
（１）エアフィルタ３３
エアフィルタ３３は、空気中に浮遊する浮遊物を捕集する。このエアフィルタ３３には、それぞれ異なるバーコードが取り付けられている。また、そのバーコードの取り付け位置は、そのエアフィルタ３３がルームエアコン３９の室内機３１に装着されたときに、ルームエアコン３９に設けられているバーコード読み取り部７４の位置と一致するように決定されている。なお、このエアフィルタ３３は、ルームエアコン３９の室内機３１に対して着脱可能である。
【００４６】
（２）ルームエアコン３９
ルームエアコン３９は、住宅２１，２２，２３に設置される。住宅２１，２２，２３の屋外には室外機３２が設置され、屋内には室内機３１が設置される。そして、室外機３２と室内機３１とは、冷媒配管および電送線で接続される。このうち、室内機３１には、バーコード読み取り部７４および情報送信部７６が設けられている。バーコード読み取り部７４は、エアフィルタ３３に取り付けられているバーコードを読み取る。情報送信部７６は、バーコード情報と共にルームエアコン３９の機体情報、設置場所情報および運転情報（例えば、室内温度履歴や運転時間履歴など。）を、ネットワーク５０を介して遠隔監視センター１に設置されているデータサーバ１１に送信する。
【００４７】
（３）データサーバ１１
データサーバ１１は、遠隔監視センター１に設けられる。このデータサーバ１１は、各住宅２１，２２，２３から送信されるバーコード情報、ルームエアコン３９の機体情報、設置場所情報および運転情報を受信し、そのバーコード情報に基づいてルームエアコン３９の機体情報、設置場所情報および運転情報をデータベース化する。また、このデータサーバ１１は、解析装置１２の要求に応じてそのデータを解析装置１２に提供する。
【００４８】
（４）エアフィルタ汚染度測定装置１３
エアフィルタ汚染度測定装置１３は、遠隔監視センター１に設けられる。このエアフィルタ汚染度測定装置１３は、サービスエンジニア４０が回収したエアフィルタ３３の汚染度を測定する。
（５）解析装置１２
解析装置１２は、遠隔監視センター１に設けられる。この解析装置１２は、エアフィルタ汚染度測定装置１３を制御する。例えば、解析装置１２から測定装置１３の諸設定を変更することができる。また、この解析装置１２は、測定装置１３から得られるエアフィルタ３３の汚染度測定値を一旦は自身のハードディスクに保存する。そして、測定値の解析が終了すると、この解析装置１２は、そのデータをデータサーバ１１に送信し、データベース化する。さらに、この解析装置１２は、エアフィルタ３９の分析結果とルームエアコン３９の運転情報とをバーコード情報に基づいて関連づける機能を有する。
【００４９】
（６）バーコード読み取り装置１５
バーコード読み取り装置１５は、遠隔監視センター１に設けられる。この装置１５は、エアフィルタ３３に取り付けられているバーコードを読み取ることができる。また、この装置１５は、読み取ったバーコード情報を解析装置１２に送信することができる。
【００５０】
（７）ネットワーク５０
ネットワーク５０は、遠隔監視センター１のデータサーバ１１、住宅２１，２２，２３のルームエアコン３９の室内機３１を接続する。
［空気質解析システム６５の接続形態］
図６に示すように、エアフィルタ３３は、ルームエアコン３９の室内機３１に装着される。ルームエアコン３９の室外機３２は、ルームエアコン３９の室内機３１に接続される。ルームエアコン３９の室内機３１の情報送信部７６は、ネットワーク５０に接続される。エアフィルタ汚染度測定装置１３は、解析装置１２に接続される。バーコード読み取り装置１５も、解析装置１２に接続される。解析装置１２は、データサーバ１１に接続される。データサーバ１１は、ネットワーク５０に接続される。
【００５１】
［ルームエアコン３９の室内機３１が、エアフィルタ３３のバーコード情報を読み取り、そのバーコード情報と共に自身の機体情報、運転情報および設置場所情報をデータサーバ１１に送信する流れ］
図７には、ルームエアコン３９の室内機３１がエアフィルタ３３のバーコード情報を読み取り、そのバーコード情報と共に自身の機体情報、運転情報および設置場所情報をデータサーバ１１に送信する流れを表すフローチャートを示す。
【００５２】
図７において、ステップＳ３１では、エアフィルタ３３をルームエアコン３９の室内機３１に装着する。ステップＳ３２では、ルームエアコン３９の電源を投入する。ステップＳ３３では、室内機３１に設けられたバーコード読み取り部７４が、エアフィルタ３３のバーコード情報を読み取る。ステップＳ３４では、情報送信部７６が、バーコード情報と共にルームエアコン３９の機体情報、運転情報および設置場所情報をデータサーバ１１に送信開始する。ステップＳ３５では、データサーバ１１がそれらの情報を受信して、それらの情報を逐次データベース化する。そして、ルームエアコン３９の電源が切られると、情報送信部７６は、情報の送信を終了する。
【００５３】
［エアフィルタ３３の解析結果とルームエアコン３９の運転情報などとを一つにまとめる流れ］
図８には、解析装置１２がエアフィルタ３３の汚染度解析結果とルームエアコン３９の運転情報とを一つにまとめる流れを表すフローチャートを示す。
図８において、ステップＳ４１では、サービスエンジニア４０が、エアフィルタ３３を回収して、遠隔監視センター１に搬送する。ステップＳ４２では、エアフィルタ３３をエアフィルタ汚染度測定装置１３にセットする、あるいは、エアフィルタ３３に捕集された浮遊物を抽出するなどしてサンプルを作成し、そのサンプルをエアフィルタ汚染度測定装置１３にセットする。ステップＳ４３では、バーコード読み取り装置１５が、サンプルがセットされたことを認識して、そのエアフィルタ３３のバーコード情報を読み取る。ここで、バーコード読み取り装置１５が、バーコード情報を認識できない場合は、解析装置１２にディスプレイ上にエラーメッセージが表示される。ステップＳ４４では、解析装置１２が、そのバーコード情報に対応するルームエアコン３９の機体情報、運転情報および設置場所情報をデータサーバ１１に要求する。ステップＳ４５では、解析装置１２が、データサーバ１１に対して要求した情報を受信する。そして、ステップＳ４６では、解析装置１２において測定装置１３の設定を施した後、測定を開始する。測定が終了すると、ステップＳ４７で、先の全ての情報、すなわち、ルームエアコン３９の機体情報、運転情報および設置場所情報が、解析装置１２のディスプレイ上に表示され、これらの情報に基づいて測定値の解析を行う。解析を終えると、ステップＳ４８は、解析結果を表示する。そして、ステップＳ４９では、これらのデータはまとめられた状態でデータサーバ１１に送信され、データベース化される。
【００５４】
［本空気質解析システム６５の特徴］
（１）
第２実施形態に係るエアフィルタ３３には、バーコード情報が付与されている。また、第２実施形態に係るルームエアコン３９の室内機３１には、バーコード読み取り部７４および情報送信部７６が設けられている。このため、このルームエアコン３９は、エアフィルタ３３からバーコード情報を読み取ることができる。また、そのルームエアコン３９は、そのバーコード情報と共にルームエアコン３９の機体情報、運転情報および設置場所情報などを送信することができる。
【００５５】
（２）
第２実施形態に係るデータサーバ１１は、ルームエアコン３９の機体情報、運転情報および設置場所情報などをエアフィルタ３３のバーコード情報と共に受信することができる。また、そのデータサーバ１１は、そのバーコード情報に基づいてそれらの情報をデータベース化することができる。このため、このデータサーバ１１は、解析装置１２からの要求に応じて任意のエアフィルタ３３に対する適切な情報を送信することができる。
【００５６】
（３）
第２に実施形態に係る解析装置１２には、バーコード読み取り装置１５が接続される。このため、この解析装置１２は、そのバーコード情報を用いてデータサーバ１１から適切なルームエアコン３９の機体情報、運転情報および設置場所情報を受信することができる。
【００５７】
（４）
第２実施形態に係るデータサーバ１１は、測定開始時にエアフィルタ３３のバーコード情報と一致するルームエアコン３９の機体情報、運転情報および設置場所情報を解析装置１２に送信することができる。このため、エアフィルタ３３の分析結果とそれらの情報を容易に一つにまとめることができる。
【００５８】
（５）
第２実施形態に係る解析装置１２は、測定開始前にバーコード情報が認識されないと、そのディスプレイ上にエラーメッセージを表示する。このため、解析結果ならびに機体情報および運転情報を１つの情報をまとめることに対するミスを防ぐことができる。
【００５９】
＜第２実施形態の変形例＞
（１）
第２実施形態に係るエアフィルタ３３には、バーコードが取り付けられたが、これに代えて、フロッピィディスク、光磁気ディスク、Ｚｉｐ（登録商標）、コンパクトフラッシュ（登録商標）、ＳＤメモリカード（登録商標）、スマートメディア（登録商標）、メモリスティック（登録商標）、マイクロドライブ、ＣＤ−Ｒ、ＣＤ−ＲＷ、ＤＶＤ−ＲあるいはＤＶＤ−ＲＷなどの記憶媒体をエアフィルタに取り付けてもよい。ただし、この場合、ルームエアコン３９に、それらのドライブを設ける必要がある。また、あらかじめこれらのメディアに自己識別情報（例えば、これは、そのルームエアコン３９の機体情報でもよいし、設置場所情報でもよいし、そのエアフィルタの製造番号などでもよいし、あるいは、そのルームエアコン３９と全く関係のない情報でもよい。）を書き込んでおく必要がある。
【００６０】
（２）
第２実施形態に係る空気質解析システム６５は、住宅２１，２２，２３に備えられるルームエアコン３９から情報を収集したが、これに代えて、ビルなどに備えられるマルチ式空気調和機やセントラル式空気調和機などから情報を収集してもよい。ただし、マルチ式空気調和機の場合は、各室内機から情報を収集する必要がある。
【００６１】
【発明の効果】
請求項１に係るエアフィルタを利用すると、空気質を解析するための対象を得ることができる。また、このエアフィルタの記憶部が空気調和機の運転情報を記憶して、かつ、エアフィルタの記憶部からエアフィルタの分析装置などにその運転情報を加えるなどできれば、分析結果と運転情報とを容易に一つにまとめることができる。さらに、そのエアフィルタの記憶部が空気調和機の機体情報あるいは空気調和機の設置場所に関する情報などを記憶して、かつ、エアフィルタの分析装置などにおいてそのような情報とエアフィルタの分析結果とを関連づけることができ、かつ、そのような情報と対になった空気調和機の運転情報がネットワークを介するなどしてエアフィルタの分析装置などに送信されるなどできれば、そのような情報を照合することによって分析結果と運転情報とを容易に一つにまとめることができる。
【００６２】
請求項２に係るエアフィルタを利用するときに、このエアフィルタの記憶部が空気調和機の運転情報を記憶して、かつ、エアフィルタの記憶部からエアフィルタの分析装置などにその運転情報を加えるなどできれば、分析結果と運転情報とを容易に一つにまとめることができる。また、そのエアフィルタの記憶部が空気調和機の機体情報あるいは空気調和機の設置場所に関する情報などを記憶して、かつ、エアフィルタの分析装置などにおいてそのような情報とエアフィルタの分析結果とを関連づけることができ、かつ、そのような情報と対になった空気調和機の運転情報がネットワークを介するなどしてエアフィルタの分析装置などに送信されるなどできれば、そのような情報を照合することによって分析結果と運転情報とを容易に一つにまとめることができる。
【００６３】
請求項３に係るエアフィルタを利用するときに、エアフィルタの分析装置などにおいて機体情報とエアフィルタの分析結果とを関連づけることができ、かつ、その機体情報と対になった空気調和機の運転情報がネットワークを介するなどしてエアフィルタの分析装置などに送信されるなどできれば、その機体情報を照合することによって分析結果と運転情報とを容易に一つにまとめることができる。
【００６４】
請求項４に係るエアフィルタを利用するときに、エアフィルタの記憶部からエアフィルタの分析装置などにその運転情報を加えるなどできれば、分析結果と運転情報とを容易に一つにまとめることができる。
請求項５に係るエアフィルタを利用するときに、エアフィルタの分析装置などにおいて設置場所に関する情報とエアフィルタの分析結果とを関連づけることができ、かつ、その設置場所に関する情報と対になった空気調和機の運転情報がネットワークを介するなどしてエアフィルタの分析装置などに送信されるなどできれば、その設置場所に関する情報を照合することによって分析結果と運転情報とを容易に一つにまとめることができる。
【００６５】
請求項６に係る空気調和機を利用するときに、この空気調和機がエアフィルタの記憶部にその運転情報を書き込み、かつ、そのエアフィルタの記憶部からエアフィルタの分析装置などにその運転情報を加えるなどできれば、分析結果と運転情報とを容易に一つにまとめることができる。また、その空気調和機がエアフィルタの記憶部に機体情報や設置場所に関する情報などを書き込み、かつ、エアフィルタの分析装置などにおいてそのような情報とエアフィルタの分析結果とを関連づけることができ、かつ、そのような情報と対になった空気調和機の運転情報がネットワークを介するなどしてエアフィルタの分析装置などに送信されるなどできれば、そのような情報を照合することによって分析結果と運転情報とを容易に一つにまとめることができる。
【００６６】
請求項７に係る空気調和機では、エアフィルタの記憶部を空気調和機に接続するのに配線する手間を省くことができる。
請求項８に係る空気質解析システムでは、情報取得手段が、エアフィルタの記憶部からその空気調和機の運転情報を取得できれば、分析結果とその運転情報とを容易に一つにまとめることができる。また、情報取得手段がエアフィルタの記憶部からその空気調和機の機体情報あるいは設置場所に関する情報などを取得でき、かつ、空気質解析システムがネットワークを介するなどしてその空気調和機の運転情報を先のような情報などと対になるようなかたちで受信できれば、先のような情報を照合することによって分析結果と運転情報とを容易に一つにまとめることができる。
【００６７】
請求項９に係る空気質解析システムでは、エアフィルタの分析結果と空気調和機の運転情報とを容易に一つにまとめることができる。
請求項１０に係る空気質解析システムでは、空気質解析システムがネットワークを介するなどしてその空気調和機の運転情報をその空気調和機の機体情報あるいは設置場所に関する情報などと対になるようなかたちで受信できれば、そのような情報を照合することによって分析結果と運転情報とを容易に一つにまとめることができる。
【００６８】
請求項１１に係る空気質解析システムでは、分析結果と運転情報とを容易に一つにまとめることができる。
請求項１２に係る空気調和機では、空気調和機が識別情報記憶部に記憶されるエアフィルタの自己識別情報を空気調和機の運転情報と対になるようなかたちで、ネットワークを介するなどしてエアフィルタの分析装置に送信でき、かつ、エアフィルタからエアフィルタの分析装置にその自己識別情報を加えるなどできれば、分析結果と運転情報とを容易に一つにまとめることができる。
【図面の簡単な説明】
【図１】第１実施形態に係る空気質解析サービス形態を表すブロック図。
【図２】第１実施形態においてルームエアコン３９の室内機３１がその機体情報および運転情報をエアフィルタ３３に書き込む流れを表すフローチャート。
【図３】第１実施形態において解析装置１２がエアフィルタ解析結果とルームエアコン３９の運転情報とを一つにまとめる流れを表すフローチャート。
【図４】第１実施形態の変形例に係る空気質解析サービス形態を示すブロック図
【図５】第１実施形態の変形例において解析装置１２がエアフィルタ解析結果とルームエアコン３９の運転情報とを一つにまとめる流れを表すフローチャート。
【図６】第２実施形態に係る空気質解析システム６５のブロック図。
【図７】第２実施形態においてルームエアコン３９の室内機３１が、エアフィルタ３３のバーコード情報を読み取り、そのバーコード情報と共に自身の機体情報、運転情報および設置場所情報をデータサーバ１１に送信する流れを表すフローチャート。
【図８】第２実施形態においてエアフィルタ解析結果とルームエアコン３９の運転情報などとを一つにまとめる流れを表すフローチャート。
【符号の説明】
１                遠隔監視センター
１１                データサーバ
１２                解析装置
１３                エアフィルタ汚染度測定装置
１４                ＲＦＩＤタグ読み取り装置
１５                バーコード読み取り装置
２１，２２，２３    住宅
３１                ルームエアコンの室内機
３２                ルームエアコンの室外機
３３                エアフィルタ
３４                無線接続部
３５                ＲＦＩＤタグ
３６                情報書き込み部
３９                ルームエアコン
４０                サービスエンジニア
５０                ネットワーク
６０，６３，６５    空気質解析システム
７４                バーコード読み取り部
７６                情報送信部
【図１】
2004183925.tif 000003
【図２】
2004183925.tif 000004
【図３】
2004183925.tif 000005
【図４】
2004183925.tif 000006
【図５】
2004183925.tif 000007
【図６】
2004183925.tif 000008
【図７】
2004183925.tif 000009
【図８】
2004183925.tif 000010